(57)【特許請求の範囲】
【請求項１】
液体収容タンクと、
前記タンクの底面に設けられた超音波振動子と、
前記タンクに接続されたノズルと、
エアを送るファンと、
前記ファンと前記タンク間に形成され、前記エアを前記タンクに導く流路と、
前記流路に設けられたヒートシンク部材と、
前記ヒートシンク部材と組み合わされ、前記超音波振動子に接続されたパワートランジスタと、
前記パワートランジスタに接続され、前記パワートランジスタによって前記超音波振動子を駆動し、前記タンクの液体を超音波振動させ、その液面から液柱を噴出させ、前記液柱によってミストを発生させる電子装置とからなり、
前記ヒートシンク部材はヒートシンク筒からなり、前記ファンの下流位置において、前記ヒートシンク筒の内面によって前記流路が形成され、前記パワートランジスタが前記ヒートシンク筒の外面に取り付けられており、
前記エアによって前記ミストを送り、これを前記ノズルから噴出させるとともに、前記エアおよび前記ヒートシンク部材によって前記パワートランジスタを空冷するようにしたことを特徴とする携帯用超音波ミスト発生装置。
【発明の詳細な説明】
【技術分野】
【０００１】
この発明は、携帯用超音波ミスト発生装置に関するものである。
【背景技術】
【０００２】
本願出願前、出願人は新しい形式の携帯用超音波ミスト発生装置を開発し、提案した。特開２００５−１１１３２８号公報（特許文献１）および特開２００６−１４２１１９号公報（特許文献２）に記載されているものがそれである。
【０００３】
各公報の装置は液体収容タンクおよび超音波振動子を有し、超音波振動子はタンクの底面に設けられる。さらに、ノズルがタンクに接続され、ファンによってエアが送られ、流路がファンとタンク間に形成され、エアがタンクに導かれる。さらに、パワートランジスタが超音波振動子に接続され、電子装置がパワートランジスタに接続され、電子装置およびパワートランジスタによって超音波振動子が駆動され、タンクの液体が超音波振動し、その液面から液柱が噴出し、液柱によってミストが発生する。したがって、エアによってミストが送られ、これがノズルから噴出する。そのミストはきわめて小さい。したがって、たとえば、この装置を美顔術に使用し、ミストを顔に吹き付け、皮膚に吸収させることができる。
【０００４】
この場合、特に、電流によってパワートランジスタが加熱され、発熱しやすい。したがって、パワートランジスタを経済的に効果的に空冷することが要望されている。
【０００５】
したがって、この発明は、携帯用超音波ミスト発生装置において、超音波振動子を駆動するパワートランジスタを経済的に効果的に空冷することを目的としてなされたものである。
【特許文献１】特開２００５−１１１３２８号公報
【特許文献２】特開２００６−１４２１１９号公報
【発明の開示】
【０００６】
この発明によれば、液体収容タンクが超音波振動子と組み合わされ、超音波振動子はタンクの底面に設けられる。さらに、ノズルがタンクに接続され、ファンによってエアが送られ、流路がファンとタンク間に形成され、エアがタンクに導かれる。さらに、ヒートシンク部材が流路に設けられ、パワートランジスタがヒートシンク部材と組み合わされ、超音波振動子に接続される。さらに、電子装置がパワートランジスタに接続され、電子装置およびパワートランジスタによって超音波振動子が駆動され、タンクの液体が超音波振動し、その液面から液柱が噴出し、液柱によってミストが発生する。したがって、エアによってミストが送られ、これがノズルから噴出する。さらに、エアおよびヒートシンク部材によってパワートランジスタが空冷される。
【０００７】
さらに、この発明によれば、ヒートシンク部材はヒートシンク筒からなる。そして、ファンの下流位置において、ヒートシンク筒の内面によって流路が形成され、パワートランジスタがヒートシンク筒の外面に取り付けられる。
【発明を実施するための最良の形態】
【０００８】
以下、この発明の実施例を説明する。
【０００９】
図１はこの発明にかかる携帯用超音波ミスト発生装置を示す。この装置はケース１、液体収容タンク２および超音波振動子３を有する。ケース１は片手で握り、持つことができる大きさのものである。タンク２はケース１の上部に内蔵されており、超音波振動子３はタンク２の底面に設けられている。この実施例では、タンク２に透過膜４が設けられ、タンク２が上部と下部に分割され、超音波振動子３は下部の底面に設けられている。さらに、タンク２の下部に液体５が充填され、透過膜４によってそれが封入されており、タンク２の上部に液体６が導入される。透過膜４は樹脂製の薄膜シートからなる。
【００１０】
さらに、ノズル７がケース１の上端に設けられており、その外部に突出し、流路８がノズル７とタンク２間に形成され、ノズル７がタンク２に接続されている。さらに、ファン９がケース１の下部に内蔵され、スリット１０がケース１の側壁に形成されており、エアがスリット１０から吸い込まれ、ファン９によってエアが送られる。ファン９はシロッコファンからなる。さらに、流路１１がファン９とタンク２間に形成されており、エアが流路１１を通り、タンク２に導かれる。
【００１１】
さらに、図２に示すように、ヒートシンク部材１２が流路１１に設けられている。さらに、パワートランジスタ１３がケース１の下部に内蔵され、ヒートシンク部材１２と組み合わされ、超音波振動子３に接続されている。ヒートシンク部材１２はアルミニウムなどの伝熱材料で形成したものである。さらに、この実施例では、ヒートシンク部材１２はヒートシンク筒からなる。そして、ファン９の下流位置において、ヒートシンク筒（ヒートシンク部材）１２の内面によって流路１１が形成され、パワートランジスタ１３がヒートシンク筒（ヒートシンク部材）１２の外面に取り付けられている。
【００１２】
さらに、電子装置１４がケース１の下部に内蔵され、パワートランジスタ１３に接続されており、電子装置１４およびパワートランジスタ１３によって超音波振動子３が駆動され、超音波１５が発振される。超音波１５は透過膜４を透過する。その方向は超音波振動子３に垂直の方向である。したがって、超音波振動子３によってタンク２の液体５，６が超音波振動し、その液面１６から液柱１７が噴出し、液柱１７によってミストが発生する。
【００１３】
したがって、この装置では、エアによってミストが送られ、これが流路８を通り、ノズル７から噴出する。そのミストはきわめて小さい。したがって、たとえば、この装置を美顔術に使用し、ミストを顔に吹き付け、皮膚に吸収させることができる。液体５，６は水からなる。
【００１４】
さらに、この装置の場合、特に、電流によってパワートランジスタ１３が加熱され、発熱しやすいが、問題はない。何らかの手段を特別に設けなくても、ファン９によってエアが送られているとき、ファン９の下流位置において、送られているエアがヒートシンク筒（ヒートシンク部材）１２およびパワートランジスタ１３に作用する。そして、エアおよびヒートシンク筒（ヒートシンク部材）１２によってパワートランジスタ１３が空冷される。したがって、パワートランジスタ１３を経済的に効果的に空冷することができる。
【００１５】
なお、この装置では、カバー１８がタンク２と組み合わされ、液面１６の上方に配置されている。カバー１８はドーム状のもので、平面から見て多角形状のものであり、多数のコーナーを有する。したがって、液面１６から液柱１７が噴出するとき、カバー１８に液柱１７が衝突し、カバー１８によって液柱１７の高さが制限される。この結果、装置全体をコンパクト化することができる。さらに、液柱１７が衝突したとき、そのしずくがカバー１８の下面に案内され、カバー１８の下面に沿って移動し、各コーナーから落下する。この結果、コンパクト化によってミストの量が減少しないようにすることができ、好ましい。
【００１６】
さらに、ノズル７とタンク２間の流路８がタンク２の水平断面中央部の上方を経由し、タンク２に開口し、ファン９とタンク２間の流路１１も同様である。したがって、装置全体を傾けても、タンク２の液体が流路１１を通り、ファン９に流れることはない。タンク２の液体が流路８を通り、ノズル７からこぼれることもない。
【００１７】
さらに、液柱１７の水平方向一方側において、ＬＥＤ１９がタンク２の側壁に設けられ、他方側において、窓２０がタンク２の側壁に形成されている。ＬＥＤ１９は窓２０に対向する。したがって、ＬＥＤ１９によって液柱１７が照明され、その光が窓２０を透過し、液柱１７を窓２０から観察することができ、この装置にディスプレイ効果をもたせることができる。さらに、ＬＥＤ１９の光に美容効果があることは周知のとおりである。したがって、ミストを顔に吹き付けるだけではなく、ＬＥＤ１９の光が窓２０を透過するとき、その光を顔に照射し、ミストとＬＥＤ１９の光によって美容効果を得ることができる。さらに、赤色ＬＥＤの場合、その光に皮膚湿潤効果があることも周知のとおりである。したがって、ＬＥＤ１９に赤色ＬＥＤを使用すると、それをノズル７のミストと併用し、皮膚を効果的に湿潤させることができる。
【００１８】
この装置を美顔術ではなく、他の目的に使用することも考えられる。たとえば、液体６に薬剤を使用し、ミストに金属イオンや薬効成分を含ませ、これを皮膚に吸収させ、医用目的に使用することができる。屋内または屋外において、ミストとして芳香剤、消臭剤または殺虫剤を散布することも考えられる。
【図面の簡単な説明】
【００１９】
【図１】この発明の実施例を示す断面図である。
【図２】図１のファンおよびヒートシンク筒の断面図である。
【符号の説明】
【００２０】
２  タンク
３  超音波振動子
５，６  液体
７  ノズル
９  ファン
１１  流路
１２  ヒートシンク筒（ヒートシンク部材）
１３  パワートランジスタ
１４  電子装置
１６  液面
１７  液柱
【要約】
【課題】携帯用超音波ミスト発生装置において、超音波振動子３を駆動するパワートランジスタ１３を経済的に効果的に空冷する。
【解決手段】流路１１がファン９とタンク２間に形成され、ヒートシンク部材１２が流路１１に設けられ、パワートランジスタ１３がヒートシンク部材１２と組み合わされ、超音波振動子３に接続される。さらに、電子装置１４がパワートランジスタ１３に接続され、電子装置１４およびパワートランジスタ１３によって超音波振動子３が駆動され、タンク２の液体５，６が超音波振動し、その液面１６から液柱１７が噴出し、液柱１７によってミストが発生する。
【選択図】図１【図１】
0004199289.tif 000002
【図２】
0004199289.tif 000003